(57)【特許請求の範囲】
【請求項１】
（ａ）筐体と、
（ｂ）登録印影を表示するための画面を備えた表示部と、
（ｃ）目盛りから成るスケール表示を前記登録印影にオーバラップさせて前記表示部の画面に表示するスケール表示処理手段と、
（ｄ）透明な材質から成る板によって形成され、前記スケール表示の目盛りに対応する目盛りが形成されたスケールパネルとを有することを特徴とする印鑑照会機。
【請求項２】
前記スケール表示の目盛りと、スケールパネルの目盛りとは同じである請求項１に記載の印鑑照会機。
【請求項３】
（ａ）前記スケールパネルは前記筐体に取り付けられ、
（ｂ）前記スケールパネルと筐体との間に、印鑑票を挿入するための隙間が形成される請求項１に記載の印鑑照会機。
【請求項４】
前記スケール表示の目盛り及びスケールパネルの目盛りには基準線が引かれる請求項１に記載の印鑑照会機。
【請求項５】
前記スケール表示と登録印影との相対的な位置関係を調節する位置調節処理手段を備える請求項１に記載の印鑑照会機。
【発明の詳細な説明】
【０００１】
【発明の属する技術分野】
本発明は、金融機関等において使用される印鑑照会機に関するものである。
【０００２】
【従来の技術】
従来、金融機関等においては、顧客によって持ち込まれた印鑑票の印影とあらかじめ登録された印鑑の印影、すなわち、登録印影とを照合するために印鑑照会機が使用される。
【０００３】
図２は従来の印鑑照会機の斜視正面図、図３は従来の印鑑照会機の要部斜視側面図、図４は従来の印鑑照会機及び印鑑サーバのブロック図である。
【０００４】
図において、１０１は筐（きょう）体、１０２はＬＣＤ、ＣＲＴ等から成る表示部、１０３は顧客の口座番号、印鑑の登録番号等を入力したり、その他の操作を行ったりするための操作部、１０６は顧客によって持ち込まれた印鑑票、１０７は該印鑑票１０６に表示された印影、１０８は登録印影、１２１は印鑑照会機の全体の制御を行うＣＰＵ、１２７は顧客ごとの登録印影１０８が格納された印鑑サーバ、１２２は該印鑑サーバ１２７との間で通信を行うためのインタフェース部、１２４はデータ、プログラム等を格納するメモリ部、１２５は前記表示部１０２の画面に表示される画像を処理する画像処理部である。
【０００５】
前記構成の印鑑照会機において、印影１０７と登録印影１０８とを照合する場合、操作者が操作部１０３を操作して顧客の口座番号、印鑑の登録番号等を入力すると、入力された口座番号、登録番号等に対応する登録印影１０８が、印鑑サーバ１２７から読み込まれ、表示部１０２の画面に表示される。なお、該表示部１０２の画面に表示される登録印影１０８の大きさと印鑑の実際の印影の大きさとは等しい。
【０００６】
そして、操作者は、図２に示されるように、印鑑票１０６を表示部１０２の横に置き、印影１０７と登録印影１０８とを並べて目視によって比較し、形状、大きさ、長さ等が一致するかどうかを判断する。
【０００７】
【発明が解決しようとする課題】
しかしながら、前記従来の印鑑照会機においては、印影１０７及び登録印影１０８の細部にわたって形状、大きさ、長さ等が一致するかどうかを判断する必要がある。したがって、印影１０７と登録印影１０８とを照合するのに極めて長い時間が必要になるだけでなく、照合の精度を高くするのに熟練を要する。
【０００８】
そこで、印影１０７と登録印影１０８とをコンピュータによる画像処理によって照合するようにした印鑑照会機が提供されている。ところが、この種の印鑑照会機においては、照合のために高度の画像処理が行われるので、高性能のコンピュータが必要になるだけでなく、解像度の高い撮像装置、ディスプレイ等が必要になる。したがって、印鑑照会機の操作性が低下するだけでなく、印鑑照会機が大型化し、コストが高くなってしまう。
【０００９】
本発明は、前記従来の印鑑照会機の問題点を解決して、印鑑票の印影と登録印影とを照合するのに長い時間を必要とせず、照合の精度を高くするのに熟練を要することがなく、操作性を向上させることができるとともに、小型化することができ、コストを低くすることができる印鑑照会機を提供することを目的とする。
【００１０】
【課題を解決するための手段】
そのために、本発明の印鑑照会機においては、筐体と、登録印影を表示するための画面を備えた表示部と、目盛りから成るスケール表示を前記登録印影にオーバラップさせて前記表示部の画面に表示するスケール表示処理手段と、透明な材質から成る板によって形成され、前記スケール表示の目盛りに対応する目盛りが形成されたスケールパネルとを有する。
【００１１】
【発明の実施の形態】
以下、本発明の実施の形態について図面を参照しながら詳細に説明する。
【００１２】
図１は本発明の第１の実施の形態における印鑑照会機の斜視正面図、図５は本発明の第１の実施の形態における印鑑照会機の要部斜視側面図、図６は本発明の第１の実施の形態における印鑑照会機及び印鑑サーバのブロック図である。
【００１３】
図において、１１は筐体、１２はＬＣＤ、ＣＲＴ等から成る表示部、１３は顧客の口座番号、印鑑の登録番号等を入力したり、その他の操作を行ったりするための操作部である。該操作部１３には、０から９までの図示されない数字キー、すなわち、テンキー、図示されないファンクションキー等のほかに、スケール表示操作手段としてのスケール表示キー３１が配設される。なお、前記操作部１３として、一般のコンピュータのキーボードを使用したり、押ボタン式のボード、ペン入力式のボード、タッチパネル等を使用したりすることもできる。
【００１４】
また、１４は、アクリル樹脂等の透明な材質から成る板によって形成され、前記筐体１１における表示部１２に隣接する箇所に取り付けられたスケールパネル、１５は前記表示部１２の画面に表示された方眼状の目盛りから成るスケール表示、１６は顧客によって持ち込まれた印鑑票である。前記スケールパネル１４には、スケール表示１５の目盛りに対応する方眼状の目盛りが、例えば、印刷によって形成される。なお、前記スケールパネル１４の目盛りとスケール表示１５の目盛りとは、寸法、目盛りの振り方等が同じにされる。また、前記スケールパネル１４と筐体１１との間に所定の隙（すき）間が形成され、該隙間に印鑑票１６を挿入することができるようになっている。
【００１５】
そして、１７は前記印鑑票１６に表示された印影、１８は登録印影、２１は印鑑照会機の全体の制御を行うＣＰＵ、２７は顧客ごとの登録印影１８が格納された印鑑サーバ、２２は該印鑑サーバ２７との間で通信を行うためのインタフェース部、２４はデータ、プログラム等を格納するメモリ部、２６は該メモリ部２４内に形成され、スケール表示１５のデータを格納するスケールデータテーブル、２５は前記表示部１２の画面に表示される画像を処理する画像処理部である。
【００１６】
次に、前記構成の印鑑照会機の動作について説明する。
【００１７】
まず、印影１７と登録印影１８とを照合する場合、操作者が操作部１３を操作して顧客の口座番号、印鑑の登録番号等を入力すると、ＣＰＵ２１の図示されない読込手段は、入力された口座番号、登録番号等に対応する登録印影１８を、印鑑サーバ２７から読み込み、画像処理部２５に送る。該画像処理部２５の図示されない登録印影表示処理手段は、前記登録印影１８を表示部１２の画面に表示する。なお、該表示部１２の画面に表示される登録印影１８の大きさと印鑑の実際の印影の大きさとは等しい。
【００１８】
次に、操作者がスケール表示キー３１を押すと、前記ＣＰＵ２１は、スケールデータテーブル２６を参照してスケールデータを読み出し、画像処理部２５に送る。該画像処理部２５の図示されないスケール表示処理手段は、スケール表示１５を前記登録印影１８にオーバラップさせて表示部１２の画面に表示する。
【００１９】
なお、操作者がスケール表示キー３１を再び押すと、スケール表示１５が消えるように設定することもできる。この場合、スケール表示キー３１を押すことにって、スケール表示１５の表示及び非表示を、必要に応じて切り替えることができる。
【００２０】
次に、操作者は、図１及び５に示されるように、前記印鑑票１６をスケールパネル１４と筐体１１との間の隙間に挿入し、スケールパネル１４の目盛りを印影１７にオーバラップさせる。そして、スケールパネル１４の目盛りに対する印影１７の位置関係と、スケール表示１５の目盛りに対する登録印影１８の位置関係とが等しくなるように、印鑑票１６の位置を調節する。この場合、スケールパネル１４は透明な材質から成る板によって形成されるので、操作者はスケールパネル１４を透して印影１７を視認することができる。
【００２１】
したがって、スケールパネル１４の目盛りがオーバラップさせられた印影１７とスケール表示１５の目盛りがオーバラップさせられた登録印影１８とを並べて目視によって比較する際に、印影１７及び登録印影１８の各部分の位置関係を各目盛りを基準にして把握することができるだけでなく、スケールパネル１４の目盛りとスケール表示１５の目盛りとが同じであるので、印影１７及び登録印影１８の細部にわたって形状、大きさ、長さ等が一致するかどうかを正確に判断することができる。その結果、印影１７と登録印影１８とを照合するのに長い時間を必要とせず、照合の精度を高くするのに熟練を要することがない。
【００２２】
また、印影１７と登録印影１８とをコンピュータによる画像処理によって照合する必要がないので、高性能のコンピュータが必要ないだけでなく、解像度の高い撮像装置、ディスプレイ等も必要ない。したがって、印鑑照会機の操作性を向上させることができるだけでなく、印鑑照会機を小型化することができ、コストを低くすることができる。
【００２３】
次に、本発明の第２の実施の形態について説明する。なお、第１の実施の形態と同じ構造を有するものについては、同じ符号を付与することによってその説明を省略する。
【００２４】
図７は本発明の第２の実施の形態における印鑑照会機の斜視正面図、図８は本発明の第２の実施の形態における印鑑照会機の要部斜視側面図である。
【００２５】
この場合、スケール表示４１に、互いに直角の方向に延びる横方向の基準線４２及び縦方向の基準線４３が設定され、スケールパネル４４に、互いに直角の方向に延びる横方向の基準線４５及び縦方向の基準線４６が設定される。各基準線４２、４３は、スケール表示４１の目盛りの他の線と識別することができるように他の線より太くされ、同様に、各基準線４５、４６は、スケールパネル４４の目盛りの他の線と識別することができるように他の線より太くされる。なお、各基準線４２、４３、４５、４６を、他の線と同じ太さで異なる色にしたり、他の線より太く、かつ、異なる色にしたりすることもできる。
【００２６】
このように、スケール表示４１に基準線４２、４３が、スケールパネル４４に基準線４５、４６が設定されるので、印影１７及び登録印影１８の細部にわたって形状、大きさ、長さ等が一致するかどうかを一層正確に判断することができる。
【００２７】
次に、本発明の第３の実施の形態について説明する。なお、第１の実施の形態と同じ構造を有するものについては、同じ符号を付与することによってその説明を省略する。
【００２８】
図９は本発明の第３の実施の形態における印鑑照会機の斜視正面図、図１０は本発明の第３の実施の形態における印鑑照会機の要部斜視側面図である。
【００２９】
図において、５１は第１のスケールパネル、５２は第２のスケールパネルであり、第１、第２のスケールパネル５１、５２は、いずれも、アクリル樹脂等の透明な材質から成る板によって形成され、表示部１２に隣接する箇所に、表示部１２の画面の側縁に沿って並設される。また、第１のスケールパネル５１には比較的粗い、例えば、５〔ｍｍ〕方眼の目盛りが、第２のスケールパネル５２には比較的細かい、例えば、３〔ｍｍ〕方眼の目盛りが印刷によって形成される。なお、第１、第２のスケールパネル５１、５２の位置を入れ替えることもできる。また、第１、第２のスケールパネル５１、５２のほかに、目盛りの粗さの異なる他のスケールパネルを配設することもできる。
【００３０】
一方、スケール表示１５の目盛りの粗さは、スケール表示キー３１を押すことによって変更することができる。前記スケール表示１５において、例えば、操作者がスケール表示キー３１を１度押すと、第１のスケールパネル５１の目盛りと同じ５〔ｍｍ〕方眼の目盛りが、スケール表示キー３１を２度押すと、第２のスケールパネル５２の目盛りと同じ３〔ｍｍ〕方眼の目盛りが表示される。なお、スケール表示キー３１以外のキー、ボタン等を操作することによってスケール表示１５の目盛りの粗さを変更することもできる。
【００３１】
前記構成の印鑑照会機において、操作者がスケール表示キー３１を押すと、前記ＣＰＵ２１（図６）の図示されない読込手段は、スケールデータテーブル２６を参照してスケールデータを読み出し、画像処理部２５に送る。該画像処理部２５の図示されないスケール表示処理手段は、スケール表示１５を前記登録印影１８にオーバラップさせて表示部１２の画面に表示する。
【００３２】
次に、操作者は、前記印鑑票１６を第１のスケールパネル５１と筐体１１との間の隙間に挿入し、第１のスケールパネル５１の目盛りを印影１７にオーバラップさせる。そして、スケールパネル５１の目盛りに対する印影１７の位置関係と、スケール表示１５の目盛りに対する登録印影１８の位置関係とが等しくなるように、印鑑票１６の位置を調節する。
【００３３】
続いて、操作者は、第１のスケールパネル５１の目盛りがオーバラップさせられた印影１７とスケール表示１５の目盛りがオーバラップさせられた登録印影１８とを並べて目視によって比較する。
【００３４】
ところが、印影１７及び登録印影１８が極めて複雑で細かい模様を有する場合、印影１７及び登録印影１８の寸法が小さい場合等においては、第１のスケールパネル５１及びスケール表示１５の各目盛りが粗いので、印影１７及び登録印影１８の各部分の位置関係を、各目盛りを基準にして把握するのが困難になる。
【００３５】
そこで、操作者は、スケール表示キー３１を再び押して、スケール表示１５を３〔ｍｍ〕方眼の目盛りに変更するとともに、印鑑票１６を筐体１１と第２のスケールパネル５２との隙間に挿入し、第２のスケールパネル５２の目盛りを印影１７にオーバラップさせる。そして、第２のスケールパネル５２の目盛りに対する印影１７の位置関係と、スケール表示１５の目盛りに対する登録印影１８の位置関係とが等しくなるように、印鑑票１６の位置を調節する。
【００３６】
したがって、第２のスケールパネル５２及びスケール表示１５の各目盛りが細かくなるので、印影１７及び登録印影１８が極めて複雑で細かい模様を有する場合、印影１７及び登録印影１８の寸法が小さい場合等であっても、印影１７及び登録印影１８の各部分の位置関係を、各目盛りを基準にして把握するのが容易になる。
【００３７】
なお、印影１７及び登録印影１８が簡素で粗い模様を有する場合、印影１７及び登録印影１８の寸法が大きい場合等においては、第１のスケールパネル５１及びスケール表示１５の各目盛りが粗くても、印影１７及び登録印影１８の各部分の位置関係を、各目盛りを基準にして十分に把握することができる。したがって、印影１７と登録印影１８とを照合するのに必要な時間が一層短くなる。
【００３８】
次に、本発明の第４の実施の形態について説明する。なお、第１の実施の形態と同じ構造を有するものについては、同じ符号を付与することによってその説明を省略する。
【００３９】
図１１は本発明の第４の実施の形態における印鑑照会機の斜視正面図、図１２は本発明の第４の実施の形態における表示部を示す図である。
【００４０】
図において、３２は移動方向を矢印で示す四つのキーから成るスケール表示移動キーであり、該スケール表示移動キー３２を操作することによって、表示部１２の画面上でスケール表示１５を移動させることができる。なお、前記スケール表示移動キー３２に代えて、一つの大きな傾動するキーを使用したり、前記ジョイスティック、トラックボール等を使用したりすることもできる。
【００４１】
ところで、表示部１２の画面に表示されるスケール表示１５と登録印影１８との相対的な位置関係は、登録印影１８の内容にかかわらず一定であり、スケール表示１５の中心と登録印影１８の中心とがほぼ一致するようにあらかじめデフォルト設定されている。
【００４２】
ところが、登録印影１８の寸法、模様の形状等によっては、デフォルト設定された位置にあるスケール表示１５の目盛りを基準にした場合、印影１７及び登録印影１８の各部分の位置関係を十分に把握することができないことがある。この場合、操作者は、スケール表示移動キー３２の四つのキーのうちのいずれかのキーを押して、スケール表示１５を上下左右のいずれかの方向に移動させて、登録印影１８の細部にわたって形状、大きさ、長さ等を把握することができる位置に置くことができる。そのために、前記ＣＰＵ２１（図６）の図示されない位置調節処理手段は、スケール表示移動キー３２からの信号を受けると、表示部１２の画面上におけるスケール表示１５の位置を調節することによって、スケール表示１５と登録印影１８との相対的な位置関係を調節する。
【００４３】
続いて、操作者は、図１１に示されるように、印鑑票１６を筐体１１とスケールパネル１４との隙間に挿入し、かつ、スケールパネル１４の目盛りに対する印影１７の位置関係と、スケール表示１５の目盛りに対する登録印影１８の位置関係とが等しくなるように、印鑑票１６の位置を調節する。
【００４４】
したがって、印影１７及び登録印影１８が極めて複雑で細かい模様を有する場合、印影１７及び登録印影１８の寸法が小さい場合等であっても、印影１７及び登録印影１８の各部分の位置関係を、各目盛りを基準にして把握するのが容易になる。
【００４５】
なお、本実施の形態においては、スケール表示１５を移動させるようにしているが、登録印影１８を移動させたり、スケール表示１５及び登録印影１８を移動させたりすることもできる。
【００４６】
次に、本発明の第５の実施の形態について説明する。なお、第１の実施の形態と同じ構造を有するものについては、同じ符号を付与することによってその説明を省略する。
【００４７】
図１３は本発明の第５の実施の形態における印鑑照会機の斜視正面図、図１４は本発明の第５の実施の形態における印鑑照会機の要部斜視側面図である。
【００４８】
この場合、スケールパネル１４は、筐体１１上における表示部１２の画面の右縁の上半分の箇所に取り付けられ、前記画面の右上部に配設される。前記スケール表示１５は前記画面の右下部に表示されるので、スケールパネル１４は、表示部１２の画面上におけるスケール表示１５の上方に隣接させて配設されることになる。
【００４９】
したがって、印鑑票１６を登録印影１８に極めて近接した位置に置くことができるので、視点をほとんど移動させることなく、スケールパネル１４の目盛りがオーバラップさせられた印影１７とスケール表示１５の目盛りがオーバラップさせられた登録印影１８とを並べて目視によって比較することができる。その結果、印影１７及び登録印影１８の細部にわたって形状、大きさ、長さ等が一致するかどうかを一層正確に判断することができる。
【００５０】
なお、本実施の形態において、スケールパネル１４は、表示部１２の画面上におけるスケール表示１５の上方に隣接させて配設されるようになっているが、表示部１２の画面上におけるスケール表示１５の左方に隣接させて配設することもできる。
【００５１】
次に、本発明の第６の実施の形態について説明する。なお、第１の実施の形態と同じ構造を有するものについては、同じ符号を付与することによってその説明を省略する。
【００５２】
図１５は本発明の第６の実施の形態における印鑑照会機の斜視正面図、図１６は本発明の第６の実施の形態における印鑑照会機の要部斜視側面図である。
【００５３】
図において、６０はスケールパネル１４を支持する支柱であり、該支柱６０は、筐体１１の上端近傍の位置に取り付けられ、先端が筐体１１の上下方向における中央の近傍に位置する。そして、前記支柱６０と筐体１１との間には、印鑑票１６を挿入することができるように隙間が形成される。
【００５４】
なお、支柱６０は、金属、プラスチック、その他の任意の材料で形成される。また、支柱６０をスケールパネル１４と同じ材料で一体に形成することもできる。
【００５５】
この場合、スケールパネル１４が支柱６０を介して取り付けられるので、印鑑票１６の中央に印影１７が表示されている場合でも、印影１７をスケールパネル１４の直下に位置することができる。したがって、印影１７及び登録印影１８の各部分の位置関係を、各目盛りを基準にして把握するのが容易になる。
【００５６】
なお、本発明は前記各実施の形態に限定されるものではなく、本発明の趣旨に基づいて種々変形させることが可能であり、それらを本発明の範囲から排除するものではない。
【００５７】
【発明の効果】
以上詳細に説明したように、本発明によれば、印鑑照会機においては、筐体と、登録印影を表示するための画面を備えた表示部と、目盛りから成るスケール表示を前記登録印影にオーバラップさせて前記表示部の画面に表示するスケール表示処理手段と、透明な材質から成る板によって形成され、前記スケール表示の目盛りに対応する目盛りが形成されたスケールパネルとを有する。
【００５８】
この場合、スケールパネルの目盛りがオーバラップさせられた印鑑票の印影とスケール表示の目盛りがオーバラップさせられた登録印影とを並べて目視によって比較する際に、印鑑票の印影及び登録印影の各部分の位置関係を各目盛りを基準にして把握することができるので、印鑑票の印影及び登録印影の細部にわたって形状、大きさ、長さ等が一致するかどうかを正確に判断することができる。その結果、印鑑票の印影と登録印影とを照合するのに長い時間を必要とせず、照合の精度を高くするのに熟練を要することがない。また、印鑑票の印影と登録印影とをコンピュータによる画像処理によって照合する必要がないので、高性能のコンピュータが必要ないだけでなく、解像度の高い撮像装置、ディスプレイ等も必要ない。したがって、印鑑照会機の操作性を向上させることができるだけでなく、印鑑照会機を小型化することができ、コストを低くすることができる。
【図面の簡単な説明】
【図１】本発明の第１の実施の形態における印鑑照会機の斜視正面図である。
【図２】従来の印鑑照会機の斜視正面図である。
【図３】従来の印鑑照会機の要部斜視側面図である。
【図４】従来の印鑑照会機及び印鑑サーバのブロック図である。
【図５】本発明の第１の実施の形態における印鑑照会機の要部斜視側面図である。
【図６】本発明の第１の実施の形態における印鑑照会機及び印鑑サーバのブロック図である。
【図７】本発明の第２の実施の形態における印鑑照会機の斜視正面図である。
【図８】本発明の第２の実施の形態における印鑑照会機の要部斜視側面図である。
【図９】本発明の第３の実施の形態における印鑑照会機の斜視正面図である。
【図１０】本発明の第３の実施の形態における印鑑照会機の要部斜視側面図である。
【図１１】本発明の第４の実施の形態における印鑑照会機の斜視正面図である。
【図１２】本発明の第４の実施の形態における表示部を示す図である。
【図１３】本発明の第５の実施の形態における印鑑照会機の斜視正面図である。
【図１４】本発明の第５の実施の形態における印鑑照会機の要部斜視側面図である。
【図１５】本発明の第６の実施の形態における印鑑照会機の斜視正面図である。
【図１６】本発明の第６の実施の形態における印鑑照会機の要部斜視側面図である。
【符号の説明】
１１    筐体
１２    表示部
１４、４４    スケールパネル
１５、４１    スケール表示
１６    印鑑票
１８    登録印影
２１    ＣＰＵ
２５    画像処理部
４２、４３、４５、４６    基準線
５１、５２    第１、第２のスケールパネル
【図１】
0004258919.tif 000002
【図２】
0004258919.tif 000003
【図３】
0004258919.tif 000004
【図４】
0004258919.tif 000005
【図５】
0004258919.tif 000006
【図６】
0004258919.tif 000007
【図７】
0004258919.tif 000008
【図８】
0004258919.tif 000009
【図９】
0004258919.tif 000010
【図１０】
0004258919.tif 000011
【図１１】
0004258919.tif 000012
【図１２】
0004258919.tif 000013
【図１３】
0004258919.tif 000014
【図１４】
0004258919.tif 000015
【図１５】
0004258919.tif 000016
【図１６】
0004258919.tif 000017